(57)【要約】【課題】  前扉を変更することなく、遊技情報の表示内容を変更可能にした遊技機を提供する。【解決手段】  リールユニット５は、筐体２内に着脱自在に取付可能なハウジング１０と、ハウジング１０内に設けられ、回転することにより外周面に付記された識別情報を変動表示可能な回転リール１１と、ハウジング１０の前面に着脱手段により着脱自在に設けられるとともに、識別情報を透視可能な識別情報表示領域部１４ａ及び遊技情報を表示させる遊技情報表示領域部１４ｂ、１４ｃ、１４ｄを有する表示パネル１４とを含む。    【選択図】  図４
2006034812.tif 000002
【特許請求の範囲】
【請求項１】
前面が開放した筐体と、該筐体の前面に開閉可能に設けられる前扉と、前記筐体内に収容され、複数の識別情報を変動表示可能なリールユニットとを備えた遊技機において、
前記リールユニットは、前記筐体内に着脱自在に取付可能なハウジングと、該ハウジング内に設けられ、回転することにより外周面に付記された前記識別情報を変動表示可能な回転リールと、前記ハウジングの前面に着脱手段により着脱自在に設けられるとともに、前記識別情報を透視可能な識別情報表示領域部及び遊技情報を表示させる遊技情報表示領域部を有する表示パネルとを含むことを特徴とする遊技機。
【請求項２】
表示パネルの後面に、遊技情報表示領域部に遊技情報を表示させる表示器を設けたことを特徴とする請求項１記載の遊技機。
【請求項３】
着脱手段は、表示パネルまたはハウジングのいずれかに一方に設けられる上下方向を向くヒンジ筒と、前記いずれか他方に設けられ、前記ヒンジ筒に回動かつ上下方向へ抜き差し可能に嵌合されるヒンジ軸とを含むことを特徴とする請求項１または２記載の遊技機。
【請求項４】
筐体内にはさらに、遊技を統括的に制御する主制御基板が収容され、該主制御基板を、リールユニットのハウジングに設けられたほぼ垂直方向を向く取付部に固定したことを特徴とする請求項１〜３のいずれかに記載の遊技機。
【発明の詳細な説明】
【技術分野】
【０００１】
本発明は、筐体内に複数の識別情報を変動表示可能なリールユニットを設けた遊技機に関する。
【背景技術】
【０００２】
遊技機としてのスロットマシンにおいては、前面が開放した筐体と、筐体の前面に開閉可能に設けられる前扉と、筐体内に収容され、複数の識別情報を変動表示可能なリールユニットとを備え、前扉の前面には、識別情報を視認可能な識別情報表示窓を有する装飾パネルが設けられている。この装飾パネルには、遊技者に対して遊技情報を報知するため、例えば、遊技仕様（入賞となる識別情報の組み合わせやメダルの払出枚数等）が表示されている（例えば、特許文献１参照）。
【特許文献１】特開２００１−１２０７１０号公報
【発明の開示】
【発明が解決しようとする課題】
【０００３】
しかし、上述のような遊技機においては、遊技機の遊技テーマの変更等に伴って、遊技仕様が変更になる場合には、遊技者に対する報知内容も変更する必要があるため、遊技機の遊技テーマ毎の表示内容を表示した前扉を用意しなければならず、遊技テーマの異なる機種間での前扉の共用化ができない不都合がある。
【０００４】
本発明は、従来の問題に鑑み、前扉を変更することなく、遊技情報の表示内容を変更することができるようにした遊技機を提供することを目的とする。
【課題を解決するための手段】
【０００５】
本発明によると、上記課題は、次のようにして解決される。
（１）前面が開放した筐体と、該筐体の前面に開閉可能に設けられる前扉と、前記筐体内に収容され、複数の識別情報を変動表示可能なリールユニットとを備えた遊技機において、前記リールユニットは、前記筐体内に着脱自在に取付可能なハウジングと、該ハウジング内に設けられ、回転することにより外周面に付記された前記識別情報を変動表示可能な回転リールと、前記ハウジングの前面に着脱手段により着脱自在に設けられるとともに、前記識別情報を透視可能な識別情報表示領域部及び遊技情報を表示させる遊技情報表示領域部を有する表示パネルとを含む。
【０００６】
（２）上記(１)項において、表示パネルの後面に、遊技情報表示領域部に遊技情報を表示させる表示器を設ける。
【０００７】
（３）上記(１)または(２)項において、着脱手段は、表示パネルまたはハウジングのいずれかに一方に設けられる上下方向を向くヒンジ筒と、前記いずれか他方に設けられ、前記ヒンジ筒に回動かつ上下方向へ抜き差し可能に嵌合されるヒンジ軸とを含む。
【０００８】
（４）上記(１)〜(３)項のいずれかにおいて、筐体内にはさらに、遊技を統括的に制御する主制御基板が収容され、該主制御基板を、リールユニットのハウジングに設けられたほぼ垂直方向を向く取付部に固定する。
【発明の効果】
【０００９】
本発明によれば、次のような効果が奏せられる。
（ａ）請求項１記載の発明によると、リールユニットを収容したハウジングの前面に、表示パネルを着脱自在に設けたことにより、表示パネルを変更することによって、前扉を何ら変更することなく、遊技機を他の遊技テーマに変更することができ、遊技テーマの異なる機種間での前扉の共用化が可能となる。
【００１０】
（ｂ）請求項２記載の発明によると、表示パネルの後面に設けた表示器により、遊技情報表示領域部に各種遊技情報を表示させることができる。
【００１１】
（ｃ）請求項３記載の発明によると、簡単な構成で、表示パネルをハウジングの前面に開閉かつ着脱自在に取り付けることができる。
【００１２】
（ｄ）請求項４記載の発明によると、主制御基板を筐体内にリールユニットと同時に取り付けることができ、取付性の向上を図ることができる。
【発明を実施するための最良の形態】
【００１３】
以下、本発明の一実施形態を、図面に基づいて説明する。図１は、本発明を適用した遊技機の正面図、図２は、遊技機の側面図、図３は、前扉を開けた状態の遊技機の斜視図、図４は、遊技機の分解斜視図、図５は、リールユニットの正面図、図６は、枠部材及び表示パネルを取り外した状態のリールユニットの正面図、図７、８は、リールユニットの斜視図である。なお、以下の説明では、図１において紙面手前側及び図２において左方を遊技機の前方とし、図１において紙面奥側及び図２において右方を同じく後方とし、図１において左側を同じく左方とし、図１において右側を同じく右方とする。
【００１４】
遊技機(１)をなすスロットマシンは、正面（前面）が開放した正面視矩形の筐体(２)と、筐体(２)の正面左端部に上下方向を向く上下１対のヒンジ軸(４)により開閉可能に枢支された前扉(３)とを備える。
【００１５】
前扉(３)は、閉状態にあるとき、前扉(３)の後面側に設けられた上下のロック機構(６)が筐体(２)に設けられた係合部(図示略)に係合することにより、所定のキー等を使用しない限り開けられないようになっている。
【００１６】
なお、本実施形態において、遊技機(１)を遊技媒体がメダル（コインを含む）であるスロットマシンとして説明するが、本発明は、これに特定されるものでなく、遊技機(１)を遊技媒体がパチンコ玉のスロットマシンとしても良い。
【００１７】
筐体(２)内の上下方向のほぼ中央には、筐体(２)の内部を上下に仕切る水平な中板(21)が架設されるとともに、筐体(２)内には、複数の識別情報を変動表示可能なリールユニット(５)と、遊技媒体であるメダルを貯留及び払出可能なホッパーユニット(７)と、筐体(２)内及び前扉(３)に設けられる各種電気機器へ電力を供給可能な電源装置(８)と、遊技時の演出効果を高めるための低音用のスピーカ(９)が設けられている。
【００１８】
リールユニット(５)は、中板(21)の上面に着脱自在に取り付けられるハウジング(10)と、ハウジング(10)内に左右方向を向く軸により枢支されるとともに、外周面に複数種類の図柄、数字等で構成される識別情報が印刷または貼付され、回転することにより識別情報を変動表示可能な左、中、右の３個の回転リール(11)と、各回転リール(11)を回転させるためのモータ（図示略）と、ハウジング(10)の前面に着脱手段により着脱自在に取り付けられる枠部材(20)に嵌め込まれるとともに、識別情報を透視可能な識別情報表示領域部(14a)が設けられた表示パネル(14)とを含んで形成される。
【００１９】
ハウジング(10)の後方上部には、ほぼ垂直方向を向く取付部(10a)が設けられている。この取付部(10a)には、遊技進行が予めプログラムされ、遊技を統括的に制御する主制御基板(12)が実装面を前面にするように固定されている。また、ハウジング(10)内における左の回転リール(11)の左方には、主制御基板(12)の制御に基づいて、各種機器へ制御信号を出力可能な副制御基板(13)が取り付けられている。さらには、ハウジング(10)の上面には、主制御基板(12)の制御信号に基づいて、前扉(３)の後面側に取り付けられる液晶表示ユニット(17)の液晶ディスプレイに画像信号を出力可能な画像制御基板(15)が取り付けられている。
【００２０】
なお、リールユニット(５)は、本実施形態に特定されるものでなく、回転リール(11)に代えて、識別情報をループ状のベルトに印刷または貼付し、このベルトを回転リールにより回走させるようにした、ベルト式にしても良い。
【００２１】
ハウジング(10)の後面下部には、後方を向く左右１対のガイドピン(10b)が設けられている。このガイドピン(10b)は、中板(21)の上面に固着されたガイド片(21a)のガイド孔(21b)に対して、前方から係脱可能であって、ガイド孔(21b)に係合されることにより、ハウジング(10)の後部を位置決め固定する。
【００２２】
ハウジング(10)の前面下部には、中板(21)の上面前部に前後方向を向く軸廻りに回転可能に枢支された左右のロック部材(38)が係脱可能な左右の長孔(10c)が設けられている。各ロック部材(38)は、各長孔(10c)に係合することにより、ハウジング(10)の前部を中板(21)上に固定することができる。
【００２３】
表示パネル(14)は、枠部材(20)と共に、枠部材(20)の後面左端部に設けられた上下１対の上下方向を向く円筒状のヒンジ筒(20b)と、ハウジング(10)の前面左端部に設けられ、かつ上下のヒンジ筒(20b)に回動かつ抜き差し可能に嵌合される上下１対のヒンジ軸(20a)(20a)とから形成される着脱手段により、図７に示すように、ハウジング(10)の前面左端部に開閉可能に枢支されるとともに、図８に示すような状態で、上下のヒンジ軸(20a)(20a)に対して、上下のヒンジ筒(20b)(20b)を上下方向へ抜き差しすることにより、ハウジング(10)の前面に着脱自在に取り付けられる。
【００２４】
着脱手段は、本実施形態に代えて、ヒンジ筒(20b)をハウジング(10)の前面左端部に設け、ヒンジ筒(20b)に嵌合されるヒンジ軸(20a)を枠部材(20)の後面左端部に設けても良い。また、表示パネル(14)を枠部材(20)と一体的に形成しても良い。
【００２５】
枠部材(20)が閉じ状態にある場合には、電源装置(８)の前面は、表示パネル(14)により覆われるようになっている。これにより、電源装置(８)の前面に設けられる入賞の確率等を変更可能な設定変更操作部が不正に操作される不正行為を、表示パネル(14)により阻止することができる。
【００２６】
表示パネル(14)のほぼ中央部には、各回転リール(11)の識別情報を３こまずつ透視可能な大きさの正面視矩形の識別情報表示領域部(14a)が設けられ、この識別情報表示領域部(14a)の周囲には、表示パネル(14)の裏面に設けられる表示器(16a)(16b)(16c)により表示される遊技情報を視認可能な遊技情報表示領域部をなす５個の有効ライン表示部(14b)、３個の遊技案内表示部(14c)、複数の遊技情報表示部(14d)が設けられる。また、表示パネル(14)の表面または裏面には、遊技仕様の表示や彩色等が施されたシールが貼着され、このシールにより、遊技情報表示領域部(14b)(14c)(14d)が形成される。
【００２７】
表示パネル(14)の裏面側に設けられる発光ダイオードや７セグメント発光ダイオード等により構成される表示器(16a)(16b)(16c)は、各種遊技情報、例えば、識別情報の有効ライン数を報知する有効ライン情報、遊技状態に係わる各種遊技情報を報知する遊技案内情報、入賞時のメダル払出数、クレジット数等の各種遊技情報を、有効ライン表示部(14b)、遊技案内表示部(14c)、複数の遊技情報表示部(14d)にそれぞれ表示させる。
【００２８】
前扉(３)の上部前面には、前扉(３)の後面側に取り付けられる液晶表示ユニット(17)の液晶ディスプレイに表示される各種遊技情報を視認可能な透明な表示窓(18a)を有するパネル(18)が嵌め込まれている。また、前扉(３)におけるパネル(18)の下方には、リールユニット(５)の表示パネル(14)より僅かに小さい開口部(3b)が設けられ、この開口部(3b)には、リールユニット(５)の前面を保護可能な無色透明の保護パネル(19)が嵌め込まれている。
【００２９】
前扉(３)における開口部(3b)の下方前面には、遊技媒体であるメダルが投入されるメダル投入部(30)と、遊技を開始するときにメダルの賭数を最大限（３枚）に設定するＭＡＸベットボタン(31)と、同じくメダルの賭数を１枚に設定する１枚ベットボタン(32)と、回転リール(11)を回転させるときに操作されるスタートレバー(33)と、各回転リール(33)の回転を停止させるときに操作される３個のストップボタン(34)と、遊技を精算するときに操作される精算ボタン(35)とが設けられている。
【００３０】
前扉(３)の後面側には、表示窓(18a)に各種遊技情報を表示可能な液晶表示ユニット(17)と、左右のスピーカ(36)と、メダル投入部(30)に投入されたメダルの真偽を検出し、真のメダルのみをホッパーユニット(７)内に誘導可能なメダルセレクター(37)等が設けられている。
【００３１】
なお、ＭＡＸベットボタン(31)、１枚ベットボタン(32)、スタートレバー(33)、各ストップボタン(34)及び精算ボタン(35)のそれぞれには、それぞれの操作を検出する検出スイッチ（図示略）が内蔵され、これらの操作信号は、主制御基板(12)に入力される。
【００３２】
遊技を開始する場合には、先ずメダル投入部(30)にメダルを所定枚数（１〜３枚）投入し、ＭＡＸベットボタン(33)（または、１枚ベットボタン(31)）、スタートレバー(33)を順次操作して、各回転リール(11)を一斉に回転させる。そして、所定時間経過後に各回転リール(11)に対応する各ストップボタン(34)を順次操作して、各回転リール(11)を停止させる。なお、メダル投入部(30)に投入されたメダルは、所定数（例えば、５０枚）を上限として、主制御基板(12)に設けられたメモリーに記憶されて貯留されるようになっている。
【００３３】
各回転リール(11)の回転が停止すると、そのときの、識別情報表示領域部(14a)に表示される識別情報の有効ライン（上段、中段、下段の３本の水平線と２本の対角線）に並ぶ組み合わせにより、入賞の有無、及び賞の大小に応じたメダルの配当枚数が決定され、入賞の場合には入賞の大小に応じたメダルがホッパーユニット(７)から前扉(３)の下部に設けられた受皿(3a)に払い出される。
【００３４】
次に、リールユニット(５)の筐体(２)に対する取り付け及び取り外しについて説明する。前扉(３)を大きく前方に開けた状態で、リールユニット(５)のハウジング(10)を筐体(２)の前面から中板(21)上に載せ、この状態で、ハウジング(10)を筐体(２)内の奥側に押し込んで、ハウジング(10)の左右のガイドピン(10b)を、中板(21)の上面に設けられた左右のガイド孔(21b)に係合させるとともに、中板(21)に設けられた左右のロック部材(38)を、ハウジング(10)の左右の長孔(10c)に係合させる。次いで、ガイド孔(21b)に係合したロック部材(38)をほぼ９０度回転操作し、長孔(10c)の周囲に係合させる。これにより、ハウジング(10)の前後部は、中板(21)上に確実に固定される。また、リールユニット(５)を筐体(２)から取り出す場合には、ロック部材(38)をさらに９０度回転操作し、ロック部材(38)が長孔(10c)から抜け出し可能な状態にする。この状態で、ハウジング(10)を前方へ引き出すことにより、筐体(２)から取り外すことができる。
【００３５】
上述により、リールユニット(５)は、筐体(２)内に着脱自在に取付可能なハウジング(10)と、ハウジング(10)内に設けられ、回転することにより外周面に付記された識別情報を変動表示可能な回転リール(11)と、ハウジング(10)の前面に着脱手段により着脱自在に設けられるとともに、識別情報を透視可能な識別情報表示領域部(14a)及び遊技情報を表示させる遊技情報表示領域部(14b)(14c)(14d)を有する表示パネル(14)とを含むことにより、表示パネル(14)を交換することによって、前扉(３)を何ら変更することなく、遊技機(１)の他の遊技テーマに変更することができる。
【００３６】
表示パネル(14)の後面に、遊技情報表示領域部(14b)(14c)(14d)に遊技情報を表示させる表示器(16a)(16b)(16c)を設けたことにより、表示パネル(14)の遊技情報表示領域部(14b)(14c)(14d)に各種遊技情報を表示させることができる。
【００３７】
着脱手段は、表示パネル(14)またはハウジング(10)のいずれかに一方に設けられる上下方向を向くヒンジ筒(20b)と、いずれか他方に設けられ、ヒンジ筒(20b)に回動かつ上下方向へ抜き差し可能に嵌合されるヒンジ軸(20a)とを含むことにより、簡単な構成で、表示パネル(14)をハウジング(10)の前面に開閉かつ着脱自在に取り付けることができる。
【００３８】
筐体(２)内にはさらに、遊技を統括的に制御する主制御基板(12)が収容され、この主制御基板(12)を、リールユニット(５)のハウジング(10)に設けられたほぼ垂直方向を向く取付部(10a)に固定したことにより、主制御基板(12)を筐体(２)内にリールユニット(５)と同時に取り付けることができ、取付性の向上を図ることができる。
【図面の簡単な説明】
【００３９】
【図１】本発明を適用した遊技機の正面図である。
【図２】同じく遊技機の側面図である。
【図３】同じく前扉を開けた状態の遊技機の斜視図である。
【図４】同じく遊技機の分解斜視図である。
【図５】リールユニットの正面図である。
【図６】表示パネルを取り外した状態のリールユニットの正面図である。
【図７】リールユニットの斜視図である。
【図８】リールユニットの分解斜視図である。
【符号の説明】
【００４０】
(１)遊技機
(２)筐体
(３)前扉
(3a)受皿
(3b)開口部
(４)ヒンジ軸
(５)リールユニット
(６)ロック機構
(７)ホッパーユニット
(８)電源装置
(９)スピーカ
(10)ハウジング
(10a)取付部
(10b)ガイドピン
(10c)長孔
(11)回転リール
(12)主制御基板
(13)副制御基板
(14)表示パネル
(14a)識別情報表示領域部
(14b)有効ライン表示部（遊技情報表示領域部）
(14c)遊技案内表示部（遊技情報表示領域部）
(14d)遊技情報表示部（遊技情報表示領域部）
(15)画像制御基板
(16a)(16b)(16c)表示器
(17)液晶表示ユニット
(18)パネル
(18a)表示窓
(19)保護パネル
(20)枠部材
(20a)ヒンジ軸（着脱手段）
(20b)ヒンジ筒（着脱手段）
(21)中板
(21a)ガイド片
(21b)ガイド孔
(30)メダル投入部
(31)ＭＡＸベットボタン
(32)１枚ベットボタン
(33)スタートレバー
(34)ストップボタン
(35)精算ボタン
(36)スピーカ
(37)メダルセレクター
(38)ロック部材
【図１】
2006034812.tif 000003
【図２】
2006034812.tif 000004
【図３】
2006034812.tif 000005
【図４】
2006034812.tif 000006
【図５】
2006034812.tif 000007
【図６】
2006034812.tif 000008
【図７】
2006034812.tif 000009
【図８】
2006034812.tif 000010